(57)【要約】【課題】空気調和機本体に記憶された情報を簡単に取り出すことができる空気調和機を提供することを課題とする。【解決手段】制御回路から電線５を引き出して、空気調和機の外郭２の近傍において、空気調和機の側面と平行に電線５を巻回する。中央処理装置は、リモコン受信部を介して運転履歴情報等の送信依頼信号を受信すると、運転履歴情報又は故障情報を記憶装置から読み出して、電線５に送信する電流を変化させ、これに伴い巻回された電線５に発生する磁場の強さを変化させる。当該磁界の変化を外部から取り付けた磁気センサ１２によって検出し、パソコン１４によって解析する。【選択図】図４
2012093020.tif 000002
【特許請求の範囲】
【請求項１】
全部又は一部が非磁性体でできた外郭で覆われた空気調和機において、
前記空気調和機の内部において前記外郭の非磁性体の特定の面に平行に巻回されたコイル状の電線と、
前記空気調和機の運転履歴情報及び故障情報のうちの少なくとも一つの情報を記憶する記憶部と、
前記情報の全部又は一部の送信を依頼する、外部からの送信依頼信号を受信する受信部と、
前記受信部を介して前記送信依頼信号入力された場合、当該送信依頼信号に対応する情報を前記記憶部から読み出し、当該読み出した情報を電流の変化に変換して前記コイル状の電線に供給することにより、前記情報を磁場の変化として外部に送信する制御部と、
を備えることを特徴とする空気調和機。
【請求項２】
前記コイル状の電線の中心部に磁性体を設置したことを特徴とする請求項１に記載の空気調和機。
【請求項３】
前記制御部、前記記憶部、及び前記受信部に相当する回路が内部に配置された筐体の外部に前記コイル状の電線を配置したことを特徴とする請求項１又は請求項２に記載の空気調和機。
【請求項４】
前記筐体の外面に前記コイル状の電線を配置するための鉤状の突起を設けたことを特徴とする請求項３に記載の空気調和機。
【請求項５】
前記コイル状の電線が配置された前記筐体の面と、該面に対向する前記外郭の前記特定の面との間に、前記コイル状の電線を覆うように非磁性体のカバーを設けたことを特徴とする請求項３又は請求項４に記載の空気調和機。
【請求項６】
前記コイル状の電線と対向する前記外郭の外面に、前記コイル状の電線の位置を示す表示を設けたことを特徴とする請求項１乃至請求項５のいずれか一項に記載の空気調和機。
【請求項７】
前記コイル状の電線と前記制御部との接続線間に継電器を設け、前記制御部は、運転履歴情報又は故障情報に対応する信号を前記コイル状の電線に送信する場合には、前記継電器を閉じることを特徴とする請求項１乃至請求項６のいずれか一項に記載の空気調和機。
【発明の詳細な説明】
【技術分野】
【０００１】
本発明は、空気調和機の情報を外部から読み取らせる技術に関する。
【背景技術】
【０００２】
従来、空気調和機本体を分解することなく、運転履歴情報や故障情報等を得る手段が提案されていた。
例えば、特許文献１には、空気調和機本体との間で双方向ワイヤレス通信を行うことができるリモコンを用いて、空気調和機本体を分解することなく運転履歴情報を得るワイヤレスリモコンシステムについて開示されている。当該ワイヤレスリモコンシステムでは、空気調和機本体の記憶手段から運転履歴データを読み出してリモコンで受信し、そのデータをコンピュータに転送することにより、空気調和機の運転履歴情報を得ることができる。
また、特許文献２には、空気調和機の室内機と室外機との間に、空気調和機データ交換装置を接続し、一方から送信されてきた信号を空気調和機データ交換装置を介して他方に送信することで、空気調和機本体の運転履歴情報や故障情報等を読み出す技術について開示されている。
【先行技術文献】
【特許文献】
【０００３】
【特許文献１】特開平６−３１３６１０号公報
【特許文献２】特開２００６−１３８５１８号公報
【発明の概要】
【発明が解決しようとする課題】
【０００４】
しかし、特許文献１に記載の空気調和機用ワイヤレスリモコンシステムでは、リモコンと空気調和機本体の両方に、運転履歴情報の受信部と送信部を併せ持つ必要があり、リモコンと空気調和機本体の価格を高くすることになるという問題がある。
また、特許文献２のように、空気調和機用データ交換装置を室内機と室外機の間に接続する方法では、室内機と室外機を接続する電線を取り外す必要があるため、手間が掛かるという問題がある。
そこで、本発明は、空気調和機本体に記憶された情報を簡単に取り出すことができる空気調和機を提供することを課題とする。
【課題を解決するための手段】
【０００５】
前記課題を解決し、本発明の目的を達成するために、以下のように構成した。
すなわち、本発明の空気調和機は、空気調和機の内部において外郭の非磁性体の特定の面に平行に巻回されたコイル状の電線と、前記空気調和機の運転履歴情報及び故障情報のうちの少なくとも一つの情報を記憶する記憶部と、前記情報の全部又は一部の送信を依頼する、外部からの送信依頼信号を受信する受信部と、前記受信部を介して前記送信依頼信号入力された場合、当該送信依頼信号に対応する情報を前記記憶部から読み出し、当該読み出した情報を電流の変化に変換して前記コイル状の電線に供給することにより、前記情報を磁場の変化として外部に送信する制御部とを備える構成とした。
【発明の効果】
【０００６】
本発明により、空気調和機本体に記憶された情報を簡単に取り出すことができる空気調和機を提供することができる。
【図面の簡単な説明】
【０００７】
【図１】本発明の第１実施形態に係る空気調和機の斜視図である。
【図２】本発明の第１実施形態に係る空気調和機の電気箱、巻回された電線、及び信号受信部の配置図である。
【図３】本発明の第１実施形態に係る空気調和機の制御装置の回路構成図である。
【図４】本発明の第１実施形態に係る空気調和機から運転履歴情報等を読み出す場合のシステム構成例を示す図である。
【図５】本発明の第１実施形態に係る空気調和機の側面図で、巻回された電線の位置を示すマークを付した場合を示す図である。
【図６】本発明の第１実施形態に係る空気調和機の中央処理装置から、巻回された電線に送信される矩形波信号の波形図である。
【図７】本発明の第１実施形態に係る空気調和機の中央処理装置の処理の全体の流れを示すフローチャートである。
【図８】本発明の第１実施形態に係る空気調和機の中央処理装置のデータ送信処理の流れを示すフローチャートである。
【図９】本発明の第２実施形態に係る空気調和機の電気箱、巻回された電線、信号受信部、及び磁性体の配置図である。
【図１０】本発明の第３実施形態に係る空気調和機の電気箱、巻回された電線、信号受信部、及び鉤状突起部の配置図である。
【図１１】本発明の第４実施形態に係る空気調和機の電気箱、巻回された電線、信号受信部、及び非磁性体のカバーの配置図である。
【図１２】本発明の第５実施形態に係る空気調和機の回路構成図である。
【発明を実施するための形態】
【０００８】
本発明の実施形態について、適宜図面を参照しながら詳細に説明する。なお、各図において、共通する部分には同一の符号を付し、重複した説明を省略する。
（第１実施形態）
図１は、本発明の第１実施形態に係る空気調和機の斜視図である。ここで、「空気調和機」とは、室内機及び室外機のいずれか一方又は双方を指すものとする。以下の説明においては、例として室内機を中心に説明するが、本発明は室外機にも適用することが可能である。
空気調和機１は商用電源（図示せず）から供給される交流電力により駆動する。また、空気調和機１は、その全部又は一部が合成樹脂等の非磁性体でできた外郭２で覆われている。空気調和機１の内部には、制御装置３００（図３参照）を搭載した電気箱３が空気調和機１の側面と平行に設置されている。
【０００９】
巻回された電線５は、電気箱３の内部に搭載された制御装置３００（図３参照）の電線５（図３参照）から電気箱３の外部に引き出されてコイル状に巻回され、さらに電気箱３の内部に引き戻される構成となっている。なお、以下において、場合に応じて適宜「巻回された電線５」を単に「電線５」と記載することがあるものとする。
また、空気調和機１の下部斜面には、外部から信号送信機１１（図４参照）を介して送信される信号を受信するリモコン受信部４が設置されている。なお、リモコン受信部４は、外部から赤外線リモコンを介して運転、温度設定、タイマ、停止等の信号を受信する際にも、その受信部として機能する。
【００１０】
図２は、本発明の第１実施形態に係る空気調和機の電気箱、巻回された電線、及び信号受信部の配置図である。巻回された電線５には、空気調和機１から運転履歴情報及び故障情報のうち少なくとも一つの情報（以下、「運転履歴情報等」と記載する）を読み出す際に制御装置３００(図３参照)から信号が送信される。
したがって、巻回された電線５を流れる電流の変化に応じて、マクスウェル方程式に従い、巻回された電線５に生じる磁場の強さが変化する。この巻回された電線５における磁場の強さの変化を外部から磁気センサ１２（図４参照）で読み取り、インタフェース装置１３（図４参照）を介してパソコン（Personal computer）１４（図４参照）に送信する。
【００１１】
電線５は空気調和機１の外郭２の近傍において、空気調和機１の側面と平行に巻回する。図５において、「特定の面」２ａは、空気調和機１の外郭２の特定の面（ここでは右側面）を表しており、巻回された電線５によって作られる円状の平面と、当該平面の近傍に位置する外郭２の特定の面２ａとが平行になるように電線５を巻回する。これによって、空気調和機１の側面に対して垂直な磁場が発生し、磁気センサ１２（図４参照）によって外部から磁場の強さの変化を検出することが容易になる。「特定の面」２ａは、外郭２の右側面の他、電気箱３を設置する位置に応じて外郭２の左側面、正面、下部斜面、又は底面とすることができる。
なお、外郭２が磁性体の部分と非磁性体の部分とで構成されている場合には、巻回された電線５は、外郭２の非磁性体の部分の面に対向する位置に設置し、かつ、当該非磁性体の部分の面と平行な平面上に位置するように設置する。
【００１２】
電線５を巻回する巻数は１回のみでもよく、複数回でもよい。電線５を巻回する巻数が増えるほど、巻回された電線５によって作られる円の中心部に生ずる磁場の強さが強くなり、それに伴い、磁気センサ１２（図４参照）による磁場の変化の検出が容易になる。
また、電線５を巻回することによって作られる円の半径は、それに対応して生じる磁場の強さや電気箱３における電線５の配置等を考慮して、適宜その長さを選択することができる。
【００１３】
電気箱３には、電線５を引き出すための孔（図示せず）が１つ又は２つ設けられている。当該孔が２つの場合には、電線５を電気箱３の外部に引き出すための孔と、引き出された電線５を電気箱３の内部に引き戻すための孔とが異なる。当該孔が１つの場合には、電線５を電気箱３の外部に引き出すための孔と、引き出された電線５を電気箱３の内部に引き戻すための孔とが同一である。
巻回された電線５が空気調和機１の外郭２の側面（特定の面２ａ：図５参照）と平行となるようにするために、電線５を引き出すための孔が設けられた電気箱３の面が、空気調和機１の外郭２の側面（特定の面２ａ：図５参照）と平行であり、かつ、外郭２の近傍に位置するように設置する。
【００１４】
電気箱３には、信号受信部６が設置されている。信号受信部６は空気調和機１の外郭２に設置されたリモコン受信部４（図１参照）の近傍に設置する。信号受信部６は、外部から送信される赤外線信号を、リモコン受信部４を介して受信する。
【００１５】
図３は、本発明の第１実施形態に係る空気調和機の制御装置の回路構成図である。
制御装置３００は、室内ファン（図示せず）が連結されたファンモータ（図示せず）、空気調和機１の吹出口（図示せず）に設けられているフラップ（図示せず）を揺動させるためのアクチュエータ（図示せず）、室内熱交換機（図示せず）、室内温度等を検出する温度センサ（図示せず）等に接続されている。
空調運転時には、制御装置３００は、各センサ（図示せず）から検出される検出信号を監視しながら、各アクチュエータ類（図示せず）の動作を制御する。
なお、空気調和機１の内部に設置された各機器のうち、電気箱３、制御装置３００以外の機器については、その詳細な説明を省略する。
【００１６】
記憶装置３０２は、空気調和機１の運転履歴情報等を逐次記憶する。受信装置３０３は信号受信部６（図２参照）に内蔵されており、リモコン受信部４（図１参照）を介して信号を受信する。中央処理装置３０１は、受信装置３０３において受信した信号を識別し、それに基づき記憶装置３０２に記憶されている運転履歴情報等を読み出して矩形波信号として電線５に送信する。ここで、図３に描かれている電線５は、図１、図２に描かれている、巻回された電線５と同一である。
なお、運転履歴情報等の送信は、中央処理装置３０１がトランジスタ３０４をオン／オフさせることによって実行される。抵抗３０５はトランジスタ３０４のベース電流を制限するための抵抗であり、抵抗３０６はトランジスタ３０４のコレクタ電流を制限するための抵抗である。
【００１７】
図４は、本発明の第１実施形態に係る空気調和機から運転履歴情報等を読み出す場合のシステム構成例である。外郭２、電気箱３、及び巻回された電線５については上述したので、ここではその説明を省略する。
信号送信機１１、磁気センサ１２、インタフェース装置１３、パソコン１４、接続ケーブル１５は、空気調和機１の故障発生時等において、外部から空気調和機１の運転履歴情報等を読み出す際に用いられ、通常は作業員が持参するものである。
【００１８】
磁気センサ１２は、空気調和機１の運転履歴情報等を読み出す際に作業員（図示せず）によって設置される。磁気センサ１２は、巻回された電線５が配置されている箇所に対応する空気調和機１の外部側面に設置される。
【００１９】
なお、電線５は空気調和機１の外郭２の内部に位置する。したがって、外部からは巻回された電線５の位置が見えないため、空気調和機１の側面に磁気センサ１２を設置する場合、どの位置が最も適当か（つまり、強い磁場を検出できるか）ということがわからない。
磁気センサ１２の位置を動かすことによって最適な設置位置を決める方法もあるが、例えば巻回された電線５の位置に対向する外郭の外部側面に、電線５の位置を示すマークを付けておくことが好ましい。
【００２０】
図５は、本発明の第１実施形態に係る空気調和機の側面図で、巻回された電線の位置を示すマークを付した場合である。図５に示すように、例えば、巻回された電線５によって作られる円の中心位置に対応する外郭の外部側面に、十字のマーク１６を描くこと等が考えられる。これによって、磁気センサ１２を空気調和機１に取り付ける際に、マーク１６が磁気センサ１２の位置決めの目印になり、磁場の変化の検出がより確実になる。
【００２１】
なお、磁気センサ１２の取り付け方法については、磁気センサ１２にゴムの吸盤（図示せず）を複数個（例えば、磁気センサ１２の四隅に１個ずつ）設置することにより、空気調和機１の運転履歴情報等を読み出す際に、磁気センサ１２を空気調和機１の所定の位置に吸着し、その位置を固定させることができる。
また、例えば空気調和機１の外郭２の所定の位置に鉤状の凸部（図示せず）を設け、磁気センサ１２にこれに対応する形状の凹部（図示せず）を設けることにより、磁気センサ１２を空気調和機１の所定の位置に固定することもできる。
【００２２】
信号送信機１１は、空気調和機１の運転履歴情報等を読み出す際に作業員（図示せず）によって設置される。信号送信機１１は、空気調和機１のリモコン受信部４（図１参照）が配置されている位置に外部から設置される。これによってパソコン１４から送信される、運転履歴情報等の送信依頼信号（詳細は後記する）を、信号送信機１１を介してリモコン受信部４に送信することができる。
【００２３】
インタフェース装置１３は、空気調和機１の運転履歴情報等を読み出す際に作業員（図示せず）によって、接続ケーブル１５を介して信号送信機１１、磁気センサ１２、パソコン１４と接続される。
インタフェース装置１３は、パソコン１４から送信される運転履歴情報等の送信依頼信号を信号送信機１１に伝達する。なお、運転履歴情報等の送信依頼信号は、運転履歴情報等の全部でもよいし、その一部（例えば、特定の故障情報）を指定してもよい。また、インタフェース装置１３は、空気調和機１から送られてきた送信信号と、当該送信信号に含まれた誤り訂正符号とを照合して、正しく信号を受信することができたか否か判断する（詳細は後記する）。また、インタフェース装置１３は、磁気センサ１２によって検出された磁場の変化を、中央処理装置３０１（図３参照）から送信された矩形波信号に対応する信号に変換し、パソコン１４に送信する。
【００２４】
パソコン１４は、作業員（図示せず）に空気調和機１の運転履歴情報等の読み出しを決定するための入力を促し、運転履歴情報等の送信依頼信号をインタフェース装置１３を介して信号送信機１１に送信する。
また、パソコン１４は、インタフェース装置１３を介して空気調和機１から読み出した信号を解析して、当該信号に対応する運転履歴情報等を表示画面に表示する。これによって、作業員は、空気調和機１の運転履歴情報を容易に知ることができる。なお、パソコン１４には運転履歴情報等の解析ソフトがインストールされているが、その詳細については説明を省略する。
【００２５】
上記の一連の流れを整理すると、次のようになる。まず、パソコン１４が作業員に対し、空気調和機１の運転履歴情報等の読み出しを決定するための入力を促し、運転履歴情報等の送信依頼信号を接続ケーブル１５を介してインタフェース装置１３に送信する。パソコン１４から運転履歴情報等の送信依頼信号を受信したインタフェース装置１３は、これを接続ケーブル１５を介して信号送信機１１に送信する。インタフェース装置１３から運転履歴情報等の送信依頼信号を受信した信号送信機１１は、当該信号を空気調和機１のリモコン受信部４（図１参照）及び信号受信部６（図２参照）を介して、制御装置３００（図３参照）の受信装置３０３に送信する。制御装置３００の中央処理装置３０１は、受信装置３０３において受信された信号を解析して、当該信号が運転履歴情報等の送信依頼信号か判定し（判定の詳細については後記する）、空気調和機１の運転履歴情報等を記憶装置３０２から読み出し、電線５に向けて送信する。なお、運転履歴情報等の送信は、中央処理装置３０１がトランジスタ３０４をオン／オフさせることによって実行される。
【００２６】
磁気センサ１２は、巻回された電線５を通じて送信される信号の変化に応じた磁場の変化を検出し、これに相当する信号を接続ケーブル１５を介してインタフェース装置１３に送信する。磁気センサ１２から磁場の変化に相当する信号を受信したインタフェース装置１３は当該信号を、中央処理装置３０１から送信される矩形波信号に対応する信号に変換し、接続ケーブル１５を介してパソコン１４に送信する。インタフェース装置１３から信号を受信したパソコン１４は、当該信号を解析し、これに対応する運転履歴情報等を表示画面に表示する。
【００２７】
図６は、本発明の第１実施形態に係る空気調和機の中央処理装置から巻回された電線に送信される矩形波信号の波形図である。すなわち、図６は中央処理装置３０１から送信される矩形波信号のオン／オフのタイミング例を表している。この例においては、パルスの立ち上がりの時間間隔は一定であるが、オンするパルスの時間が短い場合には“０”を表し、オンするパルスの時間が長い場合には“１”を表す、いわゆるＰＷＭ（Pulse Width Modulation）変調が用いられている。その他の変調方式として、ＰＤＭ（Pulse Density Modulation）変調やＰＰＭ（Pulse Position Modulation）変調等を使用することもできる。
【００２８】
図７は、本発明の第１実施形態に係る空気調和機の中央処理装置の処理の全体の流れを示すフローチャートである。ここでは、運転履歴情報等の読み出しについて記載し、通常の空気調和機としての制御については、その記載を省略している。
中央処理装置３０１（図３参照）は、ステップＳ７０１で、信号受信部６（図２参照）を介して受信装置３０３（図３参照）が信号を受信するのを監視している。ステップＳ７０１において、受信装置３０３が信号を受信した場合には（ステップＳ７０１→Ｙｅｓ）、ステップＳ７０２に進む。ステップＳ７０１において、受信装置３０３が信号を受信していない場合には（ステップＳ７０１→Ｎｏ）、ステップＳ７０１にリターンする。
【００２９】
ステップＳ７０２において、中央処理装置３０１は、受信装置３０３で受信した信号が「運転履歴情報等の送信依頼信号」であるか否かを判定する。ステップＳ７０２において、受信装置３０３が受信した信号が「運転履歴情報等の送信依頼信号」である場合（ステップＳ７０２→Ｙｅｓ）、ステップＳ７０３に進む。ステップＳ７０３において中央処理装置３０１は、運転履歴情報等を記憶装置３０２から読み出し、運転履歴情報等の送信処理を行う。ここで、運転履歴情報等の送信依頼信号が運転履歴情報等の一部（例えば、ある特定の故障情報）を指定している場合には、中央処理装置３０１は、これに対応する運転履歴情報等を記憶装置３０２から読み出して送信処理を行う。中央処理装置３０１による運転履歴情報等の送信処理が終了すると、ステップＳ７０１にリターンする。受信装置３０３で受信した信号が「運転履歴情報等の送信依頼信号」でない場合（ステップＳ７０２→Ｎｏ）、ステップＳ７０４に進み、中央処理装置３０１は通常の処理を行う。ここで「通常の処理」とは、外部から運転、温度設定、タイマ、停止等の信号を受信した場合に実行される、それらの内容に沿った処理のことを意味する。
【００３０】
ここで、図７のステップＳ７０３の運転履歴情報等の送信処理について、詳細に説明する。図８は、本発明の第１実施形態に係る空気調和機の中央処理装置のデータ送信処理の流れを示すフローチャートである。
ステップＳ８０１において中央処理装置３０１は、受信装置３０３で受信した信号が１ブロック目送信指令信号か否か判定する。ここで、「１ブロック」とは、運転履歴情報等を送信する場合のひとまとまりの情報をいう。例えば、特定の日時に相当する情報を「１ブロック」とし、また、空気調和機１の運転履歴情報等を「１ブロック」とすることができる。また、特定の日時と当該日時における空気調和機１の運転履歴情報等の組み合わせを「１ブロック」とすることもできる。
なお、「１ブロック」、「２ブロック」、…の番号は、送信指令信号の内容（日時や運転履歴情報等の送信指令）と対応付けて予め設定されている番号である。
【００３１】
受信装置３０３で受信した信号が１ブロック目送信指令信号である場合（ステップＳ８０１→Ｙｅｓ）、中央処理装置３０１は記憶装置３０２から１ブロック目の運転履歴情報等を読み出す（ステップＳ８０２）。受信装置３０３で受信した矩形波信号が１ブロック目送信指令信号でない場合（ステップＳ８０１→Ｎｏ）、ステップＳ８０１にリターンする。ステップＳ８０２において記憶装置３０２から１ブロック目の運転履歴情報等を読み出した後、中央処理装置３０１は、１ブロック目の運転履歴情報等を電線５に向けて送信する（ステップＳ８０３）。
【００３２】
ここで、インタフェース装置１３（図４参照）では、空気調和機１から送られてきた送信信号と、当該送信信号に含まれた誤り訂正符号とを照合して、正しく信号を受信することができたか否かを判断する。正しく信号を受信できた場合にはＡＣＫ信号（Acknowledgement）をリモコン信号として中央処理装置３０１に送信し、正しく信号を受信できなかった場合にはＮＡＣＫ信号（Negative Acknowledgment）をリモコン信号として中央処理装置３０１に送信する。中央処理装置３０１は、１ブロック目信号を送信した後に、受信装置３０３を介してインタフェース装置１３から受信するリモコン信号が、ＡＣＫ信号かＮＡＣＫ信号か否かを判定する（ステップＳ８０４）。
【００３３】
１ブロック目信号を送信した後に中央処理装置３０１が受信した信号がＡＣＫ信号であった場合（Ｓ８０４→ＡＣＫ）、ステップＳ８０５に進む。１ブロック目信号を送信した後に中央処理装置３０１が受信する信号が、ＮＡＣＫ信号であった場合（Ｓ８０４→ＮＡＣＫ）、ステップＳ８０１にリターンする。ステップＳ８０５において中央処理装置３０１は、受信装置３０３で受信した信号が２ブロック目送信指令信号か否かを判定する。以下同様にして、中央処理装置３０１は、２ブロック目、３ブロック目、…と処理を進めていく。そして中央処理装置３０１は、すべてのブロックの運転履歴情報等を送信し終わると通信を終了する。
【００３４】
上記の構成をとることにより、本発明の第１実施形態に係る空気調和機１では、空気調和機１を分解することなく、室内機と室外機を接続する電線を取り外すことなく、空気調和機１に記録された運転履歴情報等を外部から簡単に取り出すことができる。また、これに伴い空気調和機１のリモコン受信部４（図１参照）及び信号受信部６（図２参照）は、受信専用の安価な構成にすることができ、空気調和機１全体も安価なものとなる。さらに、本発明の第１実施形態に係る空気調和機１では、故障発生時の故障原因や故障箇所の特定を早く確実に行うことができる。
【００３５】
（第２実施形態）
図９は、本発明の第２実施形態に係る空気調和機の電気箱、巻回された電線、信号受信部、及び磁性体の配置図である。
第２実施形態に係る空気調和機１は、第１実施形態に係る空気調和機１と比較して、磁性体２０が設置されている点が異なるが、その他は第１実施形態に係る空気調和機１と同一である。従って、上記の異なる点についてのみ説明し、その他についてはその説明を省略する。
【００３６】
磁性体２０としては、鉄心等の強磁性体が挙げられる。磁性体２０は巻回された電線５によって作られる円の中心部に設置することが好ましい。これによって、巻回された電線５で生じた磁場が磁性体２０の作用により強められて、より集中した磁場になる。従って、磁気センサ１４によって読み取られる磁場の変化が、より明瞭なものとなる。また、巻回された電線５と磁気センサ１２との距離が離れても通信を行うことが可能であるという効果もある。
【００３７】
（第３実施形態）
図１０は、本発明の第３実施形態に係る空気調和機の電気箱、巻回された電線、信号受信部、及び鉤状突起部の配置図である。第３実施形態に係る空気調和機１は、第１実施形態に係る空気調和機１と比較して、鉤状突起部２１が設置されている点が異なるが、その他は第１実施形態に係る空気調和機１と同一である。従って、上記の異なる点についてのみ説明し、その他についてはその説明を省略する。
【００３８】
第３実施形態では、電線５を巻回し易くするために、鉤状突起部２１を電気箱３の外面に設置している。図１０に示すように、鉤状突起部２１の形状はＬ字形状であり、その一端は電気箱３の外面に設置されており、その他端は電線５によって作られる円の外側を向くように設置されている。これによって、電線５を当該鉤状突起部２１に引っ掛けながら巻回することができる。鉤状突起部２１は、１個でもよいが、複数個（図１０では３個）設置するほうが好ましい。鉤状突起部２１は、巻回される電線５によって作られる円の位置に合わせて設置する。なお、突起部の形状は爪状でもよい。
【００３９】
本実施例を適用すれば、電線５を巻回することが容易になるとともに、電線５を巻回する位置のばらつきが小さくなる。これに伴い、巻回された電線５で生じる磁場がより集中したものとなり、磁気センサ１２によって読み取られる磁場の変化がより明瞭なものとなる。また、電線５を巻回する位置のばらつきが小さくなることにより、磁気センサ１２を取り付けるべき位置が明確になる。
【００４０】
（第４実施形態）
図１１は、本発明の第４実施形態に係る空気調和機の電気箱、巻回された電線、信号受信部、及び非磁性体のカバーの配置図である。
第４実施形態に係る空気調和機１は、第１実施形態に係る空気調和機１と比較して、非磁性体２２が設置されている点が異なるが、その他は第１実施形態に係る空気調和機１と同一である。従って、上記の異なる点についてのみ説明し、その他についてはその説明を省略する。
【００４１】
第４実施形態では、巻回された電線５の上を非磁性体のカバー２２で覆っている。「非磁性体」とは、例えば合成樹脂である。非磁性体のカバー２２は、コイル状の電線５が配置された電気箱３の面と、該面に対向する外郭２の特定の面２ａ（図５参照）との間に、コイル状の電線５を覆うように設置する。巻回された電線５の上を非磁性体のカバー２２で覆うことにより、空気調和機１の外郭２を前面から取り付ける際に、巻回された電線５が空気調和機１の外郭２に引っ掛かることを防止することができる。また、カバー２２を「非磁性体」とすることにより、巻回された電線５を流れる電流の変化によって生じる磁場を乱すことなく、巻回された電線５を保護することができる。
【００４２】
図１１では、非磁性体２２のカバーは、正方形の薄板に長方形の薄板を接合してＬ字形状とし、その一端を電気箱３に接合させている。非磁性体のカバー２２の形状としては、巻回された電線５を保護するものであればよい。例えば、正方形の薄板の対辺にそれぞれ長方形の薄板を接合してコの字形状としてもよい。また、底面が正方形の箱型形状の非磁性体のカバー２２を、巻回された電線５の上から被せるようにして電気箱３に接合させてもよい。また、底面が円形の箱型形状の非磁性体のカバー２２を、巻回された電線５の上から被せるようにして電気箱３に接合させてもよい。なお、電線５に発生する磁場をできるだけ弱めないように、上記非磁性体のカバーの厚さは薄いほうが好ましい。
【００４３】
（第５実施形態）
図１２は、本発明の第５実施形態に係る空気調和機の回路構成図である。第５実施形態に係る空気調和機１は、第１実施形態に係る空気調和機１と比較して、制御装置４００の回路構成が異なるが、その他は第１実施形態に係る空気調和機１と同一である。従って、上記の異なる点についてのみ説明し、その他についてはその説明を省略する。
また、図１２において、電線５（電線５は、図１、図２における巻回された電線５と同一である）、中央処理装置３０１、記憶装置３０２、受信装置３０３、トランジスタ３０４、抵抗３０５、３０６については、第１実施形態において説明したので、ここではその説明を省略する。
【００４４】
本実施例では、図３で示した制御装置３００に、トランジスタ３０７、抵抗３０８、継電器（コイル３０９、接点３１０）を追加したものである。抵抗３０８はトランジスタ３０７に流れる電流を制限し、トランジスタ３０７はスイッチング回路として機能する。継電器の接点３１０は、コイル状の電線５と中央処理装置３０１との接続線間に設置されており、コイル３０９の通電状態に伴い開閉する。
【００４５】
空気調和機１において通常の運転を行っている時は継電器（コイル３０９、接点３１０）を通電せず、接点３１０は開いた状態になっている。従って、空気調和機１において通常の運転を行っている場合には、巻回された電線５に電流が流れることはない。一方、中央処理装置３０１が運転履歴情報等の送信処理を行う場合には（図７のステップＳ７０３に相当）、運転履歴情報等の送信処理を行う前に、中央処理装置３０１が継電器のコイル３０９に電流を流すことにより接点３１０を開状態から閉状態に切り替える。これによって、中央処理装置３０１から送信される矩形波信号（運転履歴情報等に相当する）が、巻回された電線５を流れる。また、中央処理装置３０１が運転履歴情報等の送信処理を終了した場合には、中央処理装置３０１が継電器のコイル３０９に流していた電流を止めることにより、接点３１０を開状態にする。
【００４６】
本実施形態では、中央処理装置３０１が運転履歴情報等の送信処理を行う場合のみ、巻回された電線５に電流が流れ、巻回された電線５を貫く磁場が変化する。すなわち、空気調和機１が通常の運転を行っている場合には、巻回された電線５には電流が流れず、巻回された電線５を貫く磁場は変化しない。
従って、本実施形態を適用した場合、空気調和機１の通常の運転中に、巻回された電線５において生じる磁場の変化による電波ノイズが制御装置３００に悪影響を及ぼすことを防止することができる。
【００４７】
（その他の実施形態）
上記の各実施形態は、各内容を単独に適用した場合について説明したが、これらの実施形態のうち複数の内容を適宜組み合わせて実施することもできる。
第１実施形態において電気箱３は、空気調和機１を正面から見た場合の右側面近傍に設置する構成としたが（図１参照）、空気調和機１を設置する場所に応じて空気調和機１の左側面近傍に電気箱３を設置してもよい。また、空気調和機１の正面又は下部斜面の近傍に、これらの面と平行に電気箱３を設置してもよい。
上記の場合、電気箱３から引き出して巻回された電線５が、空気調和機１の外郭２近傍に位置するように設置する。
【００４８】
外部から磁気センサ１２（図４参照）を介して運転履歴情報等を読み取る際に、空気調和機１を設置する部屋の状況（部屋の右隅に空気調和機１を設置するか、左隅に空気調和機１を設置するか等）に応じて、電気箱３を設置する側面を選択する。
つまり、部屋の右隅に空気調和機１を設置する場合には、空気調和機１を正面から見た場合の左側面に電気箱３を設置し、同じ側から見た場合の電気箱３の左側面に沿うように電線５を引き出して巻回する。これによって、運転履歴情報等を読み取る際に、磁気センサ１２（図４参照）を空気調和機１の左側面に当てることができ、作業員（図示せず）にとって運転履歴情報等を読み取るための作業が容易となる。
一方、部屋の左隅に空気調和機１を設置する場合には、空気調和機１を正面から見た場合の右側面に電気箱３を設置し、同じ側から見た場合の電気箱の右側面に沿うように電線５を引き出して巻回する。
【００４９】
なお、電気箱３を空気調和機１の正面又は下部斜面近傍に、それらの面と平行に設置する場合には、空気調和機１を部屋の右隅に設置する場合と空気調和機１を部屋の左隅に設置する場合の両方に対応可能である。
また、電気箱３を空気調和機１の下部斜面近傍に設置する場合には空気調和機１の運転履歴情報等を外部から読み出す際に、信号送信機１１（図４参照）及び磁気センサ１２を空気調和機１の下部斜面に取り付けることになる。したがって、信号送信機１１と磁気センサ１２の取り付けが、より簡単なものとなる。なお、この場合、信号送信機１１と磁気センサ１２とを結合させて一つのユニットとすることもできる。
【００５０】
また、電線５を電気箱３の外側から見て右回りに巻回するか、左回りに巻回するかによって、発生する磁場の方向が逆になる。従って、予め電線５を巻回する向きを決めておき、巻回された電線５を流れる電流の変化と、それに応じて生じる磁場の強さの変化と、インタフェース装置１３（図４参照）を介して磁気センサ１２（図４参照）に接続されるパソコン１４（図４参照）の設定とが整合するようにする。
つまり、制御装置３００（図３参照）の中央処理装置３０１（図３参照）から送信される矩形波信号と、パソコン１４（図４参照）において受信する矩形波信号とが、対応するようにする。
【００５１】
以上の説明においては、例として室内機を中心に説明したが、本発明は室外機においても適用可能であることはいうまでもない。
【符号の説明】
【００５２】
１  空気調和機
２  外郭
２ａ  特定の面
３  電気箱（筐体）
４  リモコン受信部
５  電線、巻回された電線（コイル状の電線）
６  信号受信部
１１  信号送信機
１２  磁気センサ
１３  インタフェース装置
１４  パソコン
１５  接続ケーブル
１６  マーク（表示）
２０  磁性体
２１  鉤状突起部（鉤状の突起）
２２  非磁性体のカバー
３００、４００  制御装置
３０１  中央処理装置（制御部）
３０２  記憶装置（記憶部）
３０３  受信装置（受信部）
３０４，３０７  トランジスタ
３０５，３０６，３０８  抵抗
３０９  継電器（コイル）
３１０  継電器（接点）
【図１】
2012093020.tif 000003
【図２】
2012093020.tif 000004
【図３】
2012093020.tif 000005
【図４】
2012093020.tif 000006
【図５】
2012093020.tif 000007
【図６】
2012093020.tif 000008
【図７】
2012093020.tif 000009
【図８】
2012093020.tif 000010
【図９】
2012093020.tif 000011
【図１０】
2012093020.tif 000012
【図１１】
2012093020.tif 000013
【図１２】
2012093020.tif 000014